(57)【要約】【課題】映像表示装置において、光源として使用するランプを切換える際の適切な制御態様を実現する。【解決手段】プロジェクタにおいて、光源として使用されるランプが第１ランプ１０Ａから第２ランプ１０Ｂへと切換えられる際には、つまり、ミラー１０Ｄが第１の状態から第２の状態へと切換えられる期間では、第１ランプ１０Ａと第２ランプ１０Ｂのいずれもが消灯状態とされているため、これらのランプが発する光が投射レンズ３を介して外部へ出射されることのが抑制される。つまり、ランプ切換処理を実行する制御部１００により、抑制手段が構成されていることになる。【選択図】図２
2010134250.tif 000002
【特許請求の範囲】
【請求項１】
第１のランプと、
第２のランプと、
前記第１あるいは第２のランプに電力を供給する電源部と、
前記電源部からの電力の供給先が前記第１のランプと前記第２のランプとの間で切換えられる場合に、前記第１および第２のランプが発する光の外部への出射を抑制する抑制手段とを備えた、映像表示装置。
【請求項２】
前記電源部と前記第１のランプとの電気回路の開閉状態を切換える第１のリレーと、
前記電源部と前記第２のランプとの電気回路の開閉状態を切換える第２のリレーとをさらに備え、
前記抑制手段は、前記電源部からの電力の供給先が前記第１のランプから前記第２のランプに切換えられる場合に、前記電源部からの前記第１のランプへの電力の供給を停止した後で前記第１のリレーを開状態とし、さらに、前記第２のリレーを閉状態とした後で前記電源部から前記第２のランプへの電力の供給を開始させる、請求項１に記載の映像表示装置。
【請求項３】
前記第１のランプが発する光を映像の表示に利用するために外部に送る第１の状態と、前記第２のランプが発する光を映像の表示に利用するために外部に送る第２の状態とを取る切換手段と、
前記電源部からの電力の供給先が前記第１のランプから前記第２のランプに切換えられるときに、前記切換手段の状態を前記第１の状態から前記第２の状態に変更させる制御を実行する切換制御手段とをさらに備え、
前記抑制手段は、前記切換制御手段が前記切換手段の状態を変更させている期間中は、前記電源部から前記第１のランプへの電力の供給を停止させる、請求項１または請求項２に記載の映像表示装置。
【請求項４】
前記第１のランプが発する光の外部への出射を遮断するシャッタをさらに備え、
前記抑制手段は、前記電源部からの電力の供給先が前記第１のランプから前記第２のランプに切換えられる場合に、当該切換の制御が開始してから終了するまでは前記シャッタを閉じる、請求項１〜請求項３のいずれかに記載の映像表示装置。
【請求項５】
前記第１のランプを冷却する第１の冷却手段と、
前記第２のランプを冷却する第２の冷却手段と、
前記第１および第２の冷却手段の動作を制御する冷却制御手段とをさらに備え、
前記冷却制御手段は、前記電源部からの電力の供給先が前記第１のランプから前記第２のランプに切換えられる場合に、前記第２の冷却手段には、前記電源部から前記第２のランプへの電力の供給が開始されたときに前記第２のランプの冷却を開始させ、前記第１の冷却手段には、前記第２のランプへの電力の供給が開始された後一定時間経過後に前記第１のランプの冷却を停止させる、請求項１〜請求項４のいずれかに記載の映像表示装置。
【請求項６】
映像の表示に利用するランプを指定する情報の入力を受付ける受付手段と、
前記受付手段に入力された情報に基づいて、前記電源部からの電力の供給先を切換えるための電源制御手段とをさらに備え、
前記受付手段は、前記電源部からの電力の供給先が前記第１のランプと前記第２のランプとの間での切換えが行なわれている期間および切換が完了した後の一定期間は、前記情報の入力を無効化する、請求項１〜請求項５のいずれかに記載の映像表示装置。
【請求項７】
第１および第２のランプと、前記第１あるいは第２のランプに電力を供給する電源部とを備える映像表示装置の制御方法であって、
電力の供給先を前記第１のランプと前記第２のランプとの間で切換えられる場合に、前記第１および第２のランプが発する光の外部への出射を抑制する、映像表示装置の制御方法。
【発明の詳細な説明】
【技術分野】
【０００１】
本発明は、映像表示装置に関し、特に、複数のランプへの電力の供給を単一の電源部で行なう映像表示装置およびその制御方法に関する。
【背景技術】
【０００２】
プロジェクタなどの映像表示装置に用いられるランプは、点灯させるために電流を流す際、高圧駆動が必要となることなどにより、従来から、映像表示装置において、ランプへの通電制御に関する種々の技術が提案されてきた。
【０００３】
たとえば、特許文献１（特開２００３−２２９２８９号公報）では、複数の高圧放電灯について、個々の高圧放電灯の種類を電気特性等に基づいて判別し、その判別結果に基づいて、高圧放電灯を定格点灯させる技術が開示されている。
【０００４】
また、特許文献２（特開２００３−２１５７０４号公報）には、複数のランプを備えた映像表示装置において、使用中のランプの劣化をランプ切れの前あるいはランプ出力の制御ができなくなる前に検知し、予備のランプを予め点灯させてから一定時間後に映像の表示に用いるランプの交換を行なう技術が開示されている。また、特許文献３（特開２００１−３５７９８４号公報）には、使用中のランプの点灯状態を検出し、当該検出した点灯状態が異常を示すものである場合には、消灯されているランプを点灯させ、当該点灯が確認された後、使用中であったランプを消灯させる技術が開示されている。
【０００５】
また、特許文献４（特開２００４−１５７２０１号公報）では、使用中のランプに不具合が生じた場合に使用するために、予備のランプを予め点灯回路手段とマッチングを取った上で、使用するランプの交換を行なう技術が開示されている。
【特許文献１】特開２００３−２２９２８９号公報
【特許文献２】特開２００３−２１５７０４号公報
【特許文献３】特開２００１−３５７９８４号公報
【特許文献４】特開２００４−１５７２０１号公報
【発明の開示】
【発明が解決しようとする課題】
【０００６】
従来では、映像表示装置においては、ランプごとに、ランプに電力を供給するための電源装置が搭載されていた。したがって、ランプが複数搭載される場合には、電源装置も複数搭載されることとなり、映像表示装置のコストを増加させるとともに、その体積および質量を増加させていた。
【０００７】
また、従来の映像表示装置では、複数のランプの中から、光源として使用するランプとを切換える際に、光源として使用するランプの物理的な位置の入換えを必要としたため、ランプを移動させる機構が必要であった。このため、当該移動機構を備えることにより、映像表示装置のコストが増加し、また、その体積や質量が増加することにより設置や移動について利便性に今ひとつ欠けるという問題があった。
【０００８】
特許文献４には、単一の点灯回路手段に複数のランプを接続し、そして、点灯回路手段とそれぞれのランプとの間に切換スイッチを挿入する旨の技術がなされている。
【０００９】
しかしながら、特許文献４には、上記切換スイッチの制御態様等、使用するランプを複数の中で切換える際の具体的な制御内容については開示がなされていない。
【００１０】
一方、ランプの切換時には、通常の使用時と異なる事情が生じるものと考えられ、ランプに関する制御態様は、慎重に検討されるべきである。
【００１１】
本発明は、係る実情に鑑み考え出されたものであり、その目的は、複数のランプを備える映像表示装置において、光源として使用するランプを切換える際の適切な制御態様を実現することである。
【課題を解決するための手段】
【００１２】
本発明に従った映像表示装置は、第１のランプと、第２のランプと、前記第１あるいは第２のランプに電力を供給する電源部と、前記電源部からの電力の供給先が前記第１のランプと前記第２のランプとの間で切換えられる場合に、前記第１および第２のランプが発する光の外部への出射を抑制する抑制手段とを備える。
【００１３】
また、本発明の映像表示装置は、前記電源部と前記第１のランプとの電気回路の開閉状態を切換える第１のリレーと、前記電源部と前記第２のランプとの電気回路の開閉状態を切換える第２のリレーとをさらに備え、前記抑制手段は、前記電源部からの電力の供給先が前記第１のランプから前記第２のランプに切換えられる場合に、前記電源部からの前記第１のランプへの電力の供給を停止した後で前記第１のリレーを開状態とし、さらに、前記第２のリレーを閉状態とした後で前記電源部から前記第２のランプへの電力の供給を開始させることが好ましい。
【００１４】
また、本発明の映像表示装置は、前記第１のランプが発する光を映像の表示に利用するために外部に送る第１の状態と、前記第２のランプが発する光を映像の表示に利用するために外部に送る第２の状態とを取る切換手段と、前記電源部からの電力の供給先が前記第１のランプから前記第２のランプに切換えられるときに、前記切換手段の状態を前記第１の状態から前記第２の状態に変更させる制御を実行する切換制御手段とをさらに備え、前記抑制手段は、前記切換制御手段が前記切換手段の状態を変更させている期間中は、前記電源部から前記第１のランプへの電力の供給を停止させることが好ましい。
【００１５】
また、本発明の映像表示装置は、前記第１のランプが発する光の外部への出射を遮断するシャッタをさらに備え、前記抑制手段は、前記電源部からの電力の供給先が前記第１のランプから前記第２のランプに切換えられる場合に、当該切換の制御が開始してから終了するまでは前記シャッタを閉じることが好ましい。
【００１６】
また、本発明の映像表示装置は、前記第１のランプを冷却する第１の冷却手段と、前記第２のランプを冷却する第２の冷却手段と、前記第１および第２の冷却手段の動作を制御する冷却制御手段とをさらに備え、前記冷却制御手段は、前記電源部からの電力の供給先が前記第１のランプから前記第２のランプに切換えられる場合に、前記第２の冷却手段には、前記電源部から前記第２のランプへの電力の供給が開始されたときに前記第２のランプの冷却を開始させ、前記第１の冷却手段には、前記第２のランプへの電力の供給が開始された後一定時間経過後に前記第１のランプの冷却を停止させることが好ましい。
【００１７】
また、本発明の映像表示装置は、映像の表示に利用するランプを指定する情報の入力を受付ける受付手段と、前記受付手段に入力された情報に基づいて、前記電源部からの電力の供給先を切換えるための電源制御手段とをさらに備え、前記受付手段は、前記電源部からの電力の供給先が前記第１のランプと前記第２のランプとの間での切換えが行なわれている期間および切換が完了した後の一定期間は、前記情報の入力を無効化することが好ましい。
【００１８】
本発明の映像表示装置の制御方法は、第１および第２のランプと、前記第１あるいは第２のランプに電力を供給する電源部とを備える映像表示装置の制御方法であって、電力の供給先を前記第１のランプと前記第２のランプとの間で切換えられる場合に、前記第１および第２のランプが発する光の外部への出射を抑制する。
【発明の効果】
【００１９】
本発明によれば、映像表示装置において、複数のランプの中で電力が供給されるランプが切換えられる期間中に、ランプから発せられる光が、映像表示装置の外部へ出射されることを回避できる。
【発明を実施するための最良の形態】
【００２０】
図１は、本発明の映像表示装置の一実施の形態であるプロジェクタの主要部の構成を模式的に示す図である。
【００２１】
図１を参照して、プロジェクタは、光学エンジン２と、投射レンズ３とを含み、その外郭をキャビティ（図示略）で覆われている。なお、プロジェクタは、スピーカ等の音声を出力するための構成要素や、光学エンジン２の構成要素および音声出力手段を電気的に制御するための回路基板なども搭載されているが、図１では、これらを含む一部の構成要素の図示は省略されている。
【００２２】
光学エンジン２は、照明装置１０を含む。照明装置１０は、２つのランプ１０Ａ，１０Ｂと、ミラー１０Ｄの駆動等のためのミラーユニット（図２に示すミラーユニット１２０）を有する。ランプ１０Ａ，１０Ｂは、たとえば超高圧水銀ランプ、メタルハライドランプ、キセノンランプなどからなる。ランプ１０Ａ，１０Ｂからの光Ｌは、リフレクタの作用により、ほぼ平行光となって出射される。
【００２３】
ミラー１０Ｄは、同図ミラー１０Ｄの中心部のＹ軸を回動中心として回動可能であり、ランプ１０Ａの起動時には図１に示されるように、ランプ１０Ａからの光をフライアイインテグレータ１１へと導く状態となる。一方、ランプ１０Ｂの起動時には、ミラー１０Ｄを時計回りに９０°回動させて、ランプ１０Ｂからの光をフライアイインテグレータ１１へ導く状態となる。
【００２４】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなるフライアイレンズを備え、液晶パネル１８，２４，３３に入射する光の光量分布が均一となるよう、照明装置１０から入射される光に光学作用を付与する。
【００２５】
ＰＢＳアレイ１２は、複数のＰＢＳと１／２波長板がアレイ上に配列されたものであり、フライアイインテグレータ１１から入射された光の偏光方向を１方向に揃える。コンデンサレンズ１３は、ＰＢＳアレイ１２から入射された光に集光作用を付与する。コンデンサレンズ１３を透過した光は、ダイクロイックミラー１４に入射する。
【００２６】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５に導かれ、そこで反射され、コンデンサレンズ１６に入射される。
【００２７】
コンデンサレンズ１６は、Ｂ光がほぼ平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム（以下、単に「プリズム」という）２０に入射される。
【００２８】
ダイクロイックミラー１４によって反射された光のうちＧ光は、ダイクロイックミラー２１によって反射され、コンデンサレンズ２２に入射される。コンデンサレンズ２２は、Ｇ光がほぼ平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００２９】
ダイクロイックミラー２１を透過したＲ光は、コンデンサレンズ２６に入射される。コンデンサレンズ２６は、Ｒ光がほぼ平行光で液晶パネル３３に入射するよう、Ｒ光に光学作用を付与する。コンデンサレンズ２６を透過したＲ光は、光路長調整用のリレーレンズ２７，２９，３１と２つのミラー２８，３０からなる光路を進み、入射側偏光板３２を介して液晶パネル３３に入射される。液晶パネル３３は、赤色用の映像信号に応じて駆動され、その駆動情報に応じてＲ光を変調する。液晶パネル３３によって変調されたＲ光は、出射側偏光板３４を介して、ダイクロイックプリズム２０に入射される。
【００３０】
ダイクロイックプリズム２０は、液晶パネル１８，２４，３３によって変調されたＢ光，Ｇ光およびＲ光を色合成し、投射レンズ３へと入射させる。投射レンズ３は、投射光を被投射面上に結像させるためのレンズ群と、これらレンズ群の一部を光軸方向に変位させて投射画像のズーム状態およびフォーカス状態を調整するためのアクチュエータを備えている。ダイクロイックプリズム２０によって色合成された光は、投射レンズ３によって、スクリーン上に拡大投射される。
【００３１】
なお、本実施の形態のプロジェクタでは、投射レンズ３とダイクロイックプリズム２０との間に、シャッタ３Ａが配置されている。本実施の形態のプロジェクタでは、シャッタ３Ａを閉状態とすることにより、ランプ１０Ａまたはランプ１０Ｂが発する光の、投射レンズ３を介しての外部への出射を遮断できる。
【００３２】
図２は、本実施の形態のプロジェクタの主要部の制御ブロック図である。
図２を参照して、プロジェクタには、当該プロジェクタの動作を全体的に制御する制御部１００が含まれる。制御部１００は、ＣＰＵ（Central Processing Unit）を含む。
【００３３】
また、プロジェクタは、外部からの操作を受付ける入力部９０を含む。入力部９０は、たとえば、プロジェクタの外郭となる筐体の表面に設けられたボタンから構成されてもよいし、また、当該筐体とは離間して設けられたリモートコントローラにおけるソフトキーやタッチパネル上のボタン等によって構成されてもよい。入力部９０に対して操作がなされると、当該操作に応じた情報が、入力部９０から制御部１００へ入力される。
【００３４】
また、プロジェクタは、ミラーユニット１２０を含む。ミラーユニット１２０は、ミラー１０Ｄの他に、ミラー１０Ｄを駆動する駆動機構（図示略）を含む。さらに、ミラーユニット１２０は、第１ランプ１０Ａの発する光をプリズム２０へ送る状態にあるか否かを検出する第１検出スイッチ１２１と、第２ランプ１０Ｂが発する光をプリズム２０へ送る状態にあるか否かを検出する第２検出スイッチ１２２とを含む。制御部１００は、第１検出スイッチ１２１および第２検出スイッチ１２２の検出結果を取得できる。
【００３５】
本明細書では、以下、ミラー１０Ｄについて、第１ランプ１０Ａの発する光をプリズム２０へ送る状態を第１の状態といい、第２ランプ１０Ｂが発する光をプリズム２０へ送る状態を第２の状態という。
【００３６】
また、プロジェクタは、第１ランプ１０Ａあるいは第２ランプ１０Ｂに高圧の電力を供給するためのランプバラストユニット１０１を備えている。ランプバラストユニット１０１から第１ランプ１０Ａへは、第１リレー１１１を介して電力が供給される。また、ランプバラストユニット１０１から第２ランプ１０Ｂへは、第２リレー１１２を介して電力が供給される。
【００３７】
第１リレー１１１および第２リレー１１２は、リレーユニット１１０に配置されており、これらのリレーの開閉は、制御部１００から出力される信号に基づいて切換えられる。
【００３８】
第１リレー１１１は、第１検出スイッチ１２１によってミラー１０Ｄが上記した第１の状態にあることを検出しており、かつ、制御部１００から回路を閉じる信号をリレーユニット１１０に対して出力された場合に、ランプバラストユニット１０１と第１ランプ１０Ａとを繋ぐ回路を閉じる。第１検出スイッチ１２１の検出出力は、制御部１００に出力されるとともに、それとは独立してリレーユニット１１０へ出力される。
【００３９】
第２リレー１１２は、第２検出スイッチ１２２によってミラー１０Ｄが上記した第２の状態にあることを検出しており、かつ、制御部１００から回路を閉じる信号をリレーユニット１１０に対して出力された場合に、ランプバラストユニット１０１と第２ランプ１０Ｂとを繋ぐ回路を閉じる。第２検出スイッチ１２２の検出出力は、制御部１００に出力されるとともに、それとは独立してリレーユニット１１０へ出力される。
【００４０】
ランプバラストユニット１０１には、その出力電圧値を検出する出力電圧検出部１０１Ａを含む。制御部１００は、出力電圧検出部１０１Ａが検出する電圧値に基づいて、ランプバラストユニット１０１からリレーユニット１１０へ電力の供給がされているか否かを判断する。
【００４１】
また、プロジェクタは、第１ランプ１０Ａを冷却するための排気ファン１３１および第２ランプ１０Ｂを冷却するための排気ファン１３２を備えている。これらの駆動のオン／オフは、制御部１００によって制御される。
【００４２】
次に、本実施の形態のプロジェクタにおいて、光源として使用されるランプを、第１ランプ１０Ａから第２ランプ１０Ｂに切換えられる際に制御部１００が実行する処理（ランプ切換処理）の内容について、当該処理のフローチャートである図３を参照して説明する。
【００４３】
図３を参照して、ランプバラストユニット１０１の出力電圧検出部１０１Ａによる第１ランプ１０Ａの動作不良の検出結果や、入力部９０から光源として使用するランプを変更する情報が入力されると、制御部１００は、まずステップＳＡ１０で、第１ランプ１０Ａの消灯過程を実行する。
【００４４】
第１ランプ１０Ａの消灯過程とは、ランプバラストユニット１０１からリレーユニット１１０への電力の供給を停止させ、そして、排気ファン１３１の駆動を開始する。なお、排気ファン１３１は、第１ランプ１０Ａへの電力の供給が開始された時点から継続して駆動されていてもよい。
【００４５】
ここで、ステップＳＡ１０の処理の前段階である、第１ランプ１０Ａが光源として使用されている状態の、制御信号の流れを図４に模式的に示す。
【００４６】
図４を参照して、この状態では、ランプバラストユニット１０１からリレーユニット１１０へ電力が供給され、そして、リレーユニット１１０では、制御部１００によって第１リレー１１１は閉状態とされ、第２リレー１１２は開状態とされている。これにより、ランプバラストユニット１０１から供給される電力は、第２ランプ１０Ｂには供給されず、第１ランプ１０Ａには供給される。
【００４７】
この状態では、ミラー１０Ｄが第１の状態となっていることに基づいて、第１検出スイッチ１２１はＨ（Ｈｉｇｈ）の信号を出力する。また、ミラー１０Ｄが第２の状態ではないことに基づいて、第２検出スイッチ１２２はＬ（Ｌｏｗ）を出力する。これらの信号は、制御部１００に出力されるとともに、リレーユニット１１０へも出力される。
【００４８】
制御部１００は、第１ランプ１０Ａを光源として点灯させるべき場合に、第１検出スイッチ１２１からＨ信号が入力されたことに応じて、リレーユニット１１０に対して第１リレー１１１をオンさせる信号を出力する。
【００４９】
リレーユニット１１０は、制御部１００から第１リレー１１１をオンする信号が入力された場合、第１リレー１１１を閉状態とする。なお、リレーユニット１１０において、第１リレー１１１をオンするためには、第１リレー１１１へ駆動電力が供給されていることを要する。第１リレー１１１は、第１検出スイッチ１２１からＨが出力されていることを条件として、駆動電力を供給される。
【００５０】
制御部１００は、第１リレー１１１をオンする信号を出力してから、リレーユニット１１０によって第１リレー１１１が閉状態とされる処理が完了すると想定される時間より十分長い時間の後、ランプバラストユニット１０１に対して、リレーユニット１１０への電力の供給を開始する信号を出力する。これにより、まず第１リレー１１１が閉状態とされた後、ランプバラストユニット１０１から、第１リレー１１１を介して、第１ランプ１０Ａへの電力の供給が開始される。
【００５１】
上記したステップＳＡ１０における、第１ランプの消灯過程が実行されることにより、本実施の形態のプロジェクタでは、各構成要素の接続状態は、図４に示された状態から図５に示された状態へと変化する。
【００５２】
図５を参照して、制御部１００からランプバラストユニット１０１へ電力の供給を停止する信号が出力されることにより、ランプバラストユニット１０１からリレーユニット１１０への電力の供給が停止している。
【００５３】
出力電圧検出部１０１Ａによって検出される電圧値が、ランプバラストユニット１０１からリレーユニット１１０への電力の供給が停止された状態に対応する値となったことを条件として、制御部１００は、処理をステップＳＡ２０へ進める。
【００５４】
図３に戻って、ステップＳＡ２０では、制御部１００は、第１リレー１１１の接点を開放する過程の処理を実行する。
【００５５】
具体的には、制御部１００は、リレーユニット１１０に対して、第１リレー１１１を閉状態から開状態へと変更するための信号を出力する。なお、第１ランプ１０Ａが光源として使用されていた状態では、ミラー１０Ｄは第１の状態にあるため、第１リレー１１１には駆動電力が供給され、第２リレー１１２には駆動電力は供給されていない。ステップＳＡ２０では、制御部１００は、リレーユニット１１０に対して、第２リレー１１２を継続して開状態とする信号を出力する。
【００５６】
ステップＳＡ２０が実行されることにより、本実施の形態のプロジェクタにおける構成要素間の接続の状態は、図５に示されたものから図６に示すものへと変更される。
【００５７】
図６を参照して、制御部１００からリレーユニット１１０へ第１リレー１１１をオフする信号が出力されることにより、第１リレー１１１が開状態とされる。
【００５８】
図３に戻って、ステップＳＡ３０では、制御部１００は、ミラー１０Ｄの切換過程を実行する。
【００５９】
具体的には、制御部１００は、まずミラーユニット１２０に対して、ミラー１０Ｄの状態を第１の状態から第２の状態への切換を指示する信号を出力する。そして、制御部１００は、この信号に基づきミラー１０Ｄが回動されて、第１検出スイッチ１２１からの信号の出力がなくなり、そして、ミラー１０Ｄが第２の状態まで回動されることによって第２検出スイッチ１２２が信号を出力する。制御部１００は、このように第２検出スイッチ１２２が信号を出力してくるのを待って、ステップＳＡ４０へ処理を進める。
【００６０】
ステップＳＡ３０の処理により、プロジェクタでは、図６に示した状態から、図７に示されるように、ミラー１０Ｄが回動され、そして、ミラー１０Ｄは、図８に示されるように、第２ランプ１０Ｂが発する光をプリズム２０へと送る第２の状態とされる。
【００６１】
ミラーユニット１２０では、ミラー１０Ｄが第１の状態から回動を開始すると、それまでの第１の検出スイッチ１２１からの信号の出力が停止される。
【００６２】
そして、ミラー１０Ｄが第２の状態まで回動され、その回動が停止されると、第２検出スイッチ１２２は、そのことを検出して、制御部１００とリレーユニット１１０に対して信号を出力する。
【００６３】
図３に戻って、ステップＳＡ４０では、制御部１００は、第２リレー１１２の接点接続過程を実行する。
【００６４】
具体的には、ステップＳＡ４０では、制御部１００は、リレーユニット１１０に対して、第１リレー１１１をオフ、第２リレー１１２をオンにする信号を出力する。
【００６５】
ステップＳＡ４０の処理により、プロジェクタにおける信号の流れは、図８に示されたものから図９に示したものへと変更される。
【００６６】
図９を参照して、既に第２検出スイッチ１２２からリレーユニット１１０に対して信号が出力されている状態となっているため、第２リレー１１２には、駆動電力が供給される状態となっている。そして、ステップＳＡ４０では、制御部１００からリレーユニット１１０に対して出力される、第２リレー１１２をオンする信号に基づき、第２リレー１１２は閉状態へと駆動される。
【００６７】
制御部１００は、ステップＳＡ４０においてリレーユニット１１０へ信号を出力した後、リレーユニット１１０が第２リレー１１２を閉状態とするまでの処理時間より十分長い時間の後、ステップＳＡ５０へ処理を進める。
【００６８】
図３に戻って、ステップＳＡ５０では、制御部１００は、第２ランプ１０Ｂの点灯過程を実行する。
【００６９】
具体的には、制御部１００は、まず、ランプバラストユニット１０１に、リレーユニット１１０への電力の供給を開始させ、排気ファン１３２の駆動を開始することにより第２ランプ１０Ｂの冷却を開始する。
【００７０】
ステップＳＡ５０中のここまでの処理により、プロジェクタにおける信号の流れは、図９に示されたものから図１０に示すものとへと変更される。
【００７１】
図１０を参照して、既に第２リレー１１２が閉状態とされているため、ランプバラストユニット１０１からリレーユニット１１０への電力の供給が開始されると、ランプバラストユニット１０１から第２リレー１１２を介して第２ランプ１０Ｂへ電力が供給される。また、排気ファン１３２が駆動されることにより、第２ランプ１０Ｂの冷却も開始される。
【００７２】
図３に戻って、制御部１００は、ステップＳＡ１０で消灯させた第１ランプ１０Ａの冷却を終了させるため、排気ファン１３１の駆動を停止する。この場合、図１１に示されように、制御部１００から排気ファン１３１への駆動信号の出力が停止される。
【００７３】
なお、制御部１００が排気ファン１３１の駆動を停止するタイミングは、ステップＳＡ１０でランプバラストユニット１０１からリレーユニット１１０への電力の供給を停止させてから一定時間経過後としてもよいし、ステップＳＡ５０において第２ランプ１０Ｂへの電力の供給を開始した時点から所定の時間経過後としてもよい。
【００７４】
以上説明したランプ切換処理によれば、光源として使用されるランプが第１ランプ１０Ａから第２ランプ１０Ｂへと切換えられる際には、つまり、ミラー１０Ｄが第１の状態から第２の状態へと切換えられる期間（ステップＳＡ３０）では、第１ランプ１０Ａと第２ランプ１０Ｂのいずれもが消灯状態とされているため、これらのランプが発する光が投射レンズ３を介して外部へ出射されることのが抑制される。つまり、ランプ切換処理を実行する制御部１００により、抑制手段が構成されていることになる。
【００７５】
本実施の形態において、制御部１００中のＣＰＵは、当該制御部１００内の記憶装置に記録されたプログラムを実行することにより、図３等を参照して説明した処理を実行する。なお、当該プログラムは、プロジェクタ出荷時から制御部１００内に記録されていても良いし、プロジェクタが通信機能を備える場合に、ネットワーク等を介してダウンロードされて制御部１００内に記録されても良いし、または、プロジェクタが当該プロジェクタから離間した記録媒体に記録された情報の読込みが可能な場合に、当該記録媒体に記録されていたものを制御部１００内に書込むことにより記録されても良い。
【００７６】
本実施の形態において、第１ランプ１０Ａと第２ランプ１０Ｂ、第１検出スイッチ１２１と第２検出スイッチ１２２、第１リレー１１１と第２リレー１１２は、いずれも等価である。よって、光源として使用されるランプが第２ランプ１０Ｂから第１ランプ１０Ａに変更される場合には、図３を参照して説明した処理において、これらを入換え、また、ミラー１０Ｄについての第１の状態と第２の状態を入換えることにより、対応が可能である。
【００７７】
また、本実施の形態では、第１ランプ１０Ａおよび第２ランプ１０Ｂの冷却手段として、排気ファン１３１，１３２が採用されているが、冷却手段は、液体を用いた冷却装置など、冷却機能を有するものであれば、ファンに限定されない。
【００７８】
なお、本実施の形態のプロジェクタでは、光源として使用されるランプが第１ランプ１０Ａから第２ランプ１０Ｂへと切換えられる場合に、ミラー１０Ｄが第１の状態から第２の状態へと切換えられる期間中から第２ランプ１０Ｂを点灯させておき、より早期に第２ランプ１０Ｂによる映像の表示を開始することも可能である。この場合、シャッタ３Ａが利用される。この場合に実行されるランプ切換処理の内容について、当該処理のフローチャートである図１２を参照して説明する。
【００７９】
図１２に示されたランプ切換処理では、ステップＳＢ１０〜ステップＳＢ４０の処理と、ステップＳＣ１０〜ステップＳＣ３０の処理が並行して実行される。
【００８０】
ステップＳＢ１０〜ステップＳＢ４０の内容を説明する。
ステップＳＢ１０では、制御部１００は、ステップＳＡ１０と同様に、第１ランプ１０Ａの消灯過程を実行し、ステップＳＢ２０へ処理を進める。
【００８１】
ステップＳＢ２０では、制御部１００は、ステップＳＡ２０と同様に、第１リレー１１１の接点を開放する過程の処理を実行し、ステップＳＢ３０へと処理を進める。
【００８２】
ステップＳＢ３０では、制御部１００は、ステップＳＡ４０と同様に、第２リレー１１２の接点接続過程を実行し、ステップＳＢ４０へと処理を進める。
【００８３】
ステップＳＢ４０では、制御部１００は、ステップＳＡ５０と同様に、第２ランプ１０Ｂの点灯過程を実行する。
【００８４】
次に、ステップＳＣ１０〜ステップＳＣ３０の内容を説明する。
ステップＳＣ１０では、制御部１００は、シャッタ３Ａを閉状態として、ステップＳＣ２０へ処理を進める。
【００８５】
ステップＳＣ２０では、制御部１００は、ステップＳＡ３０と同様に、ミラーの切換過程を実行して、ステップＳＣ３０へ処理を進める。
【００８６】
ステップＳＣ３０では、制御部１００は、シャッタ３Ａを開状態とする。
以上、図１２を参照して説明したランプ切換処理では、ミラーの切換過程（ステップＳＣ２０）の前にシャッタ３Ａが閉じられ、当該過程が終了するとシャッタ３Ａが開かれる。これにより、確実に、ミラー１０Ｄが第１の状態と第２の状態との間で状態を変更されている期間中に、第１ランプ１０Ａおよび第２ランプ１０Ｂから発せられる光が投射レンズ３を介してプロジェクタの外部に出力されることを回避できる。
【００８７】
以上図１２を参照して説明したランプ切換処理では、シャッタ３Ａの開閉を行なう制御部１００により抑制手段が構成されている。
【００８８】
本実施の形態では、映像表示装置の一実施の形態であるプロジェクタにおいて、電源部として単一の電源装置（ランプバラストユニット１０１）から、第１ランプ１０Ａと第２ランプ１０Ｂに電力が供給され、そして、これらの間で電力の供給先が切換えられる場合に、一時的に第１および第２のランプのいずれにも電力が供給されなくなったり、シャッタ３Ａが閉状態とされたりすることにより、映像表示装置から外部へ出射される光の強度に著しく変動が見られるような場合に、一律に、外部への光の出射が抑制される。このため、映像表示装置の視聴者に不快感を与えることを回避できる。
【００８９】
したがって、複数のランプに対して一の電源装置で電力を供給する場合であっても、つまり、ランプごとに電源装置を備えなくとも、映像表示装置の視聴者に不快感を与えることなく、使用するランプの交換が可能となる。これにより、視聴者に不快感を与えることなく、映像表示装置のコストの削減ならびに小型化および軽量化が可能となる。
【００９０】
また、以上説明した本実施の形態では、第１ランプ１０Ａに電力が供給される場合には、まず、第１リレー１１１が閉状態にされてから、ランプバラストユニット１０１からの電力の供給が開始され、また、第１ランプ１０Ｂへの電力の供給を停止する場合には、ランプバラストユニット１０１からの電力の供給が停止された後で、第１リレー１１１が開状態とされている。つまり、ランプバラストユニット１０１からランプ１０Ａへの電力供給の開始と停止の間の状態の切換えは、第１リレー１１１が閉状態とされた状態で行なわれている。
【００９１】
これは、ランプバラストユニット１０１からの電力の供給が開始されるときには、ランプバラストユニット１０１と第１ランプ１０Ａの間の電気回路上には、図１３に「ランプの始動時の電力波形の一例」として示されるような波形の電力が生じる。このような状態では、図１３において破線で示された、第１リレー１１１の接点の開閉についての定格容量を超え、第１リレー１１１のアーク放電による溶着などの事態が想定される。
【００９２】
このような事態を回避するために、本実施の形態では、上記のように、ランプバラストユニット１０１からランプ１０Ａへの電力供給の開始と停止の間の状態の切換えは、第１リレー１１１が閉状態とされた状態で行なわれている。
【００９３】
これにより、プロジェクタのような複数のランプを備えた映像表示装置において、電源装置（ランプバラストユニット１０１）を単一としつつ、電力の供給対象となるランプの切換時の安全性が担保されている。これにより、映像表示装置において、製造コストを抑え、小型化および軽量化を可能とし、かつ、使用するランプの切換時の安全性が確保されていることになる。
【００９４】
なお、ランプの通常点灯時の電力波形が、図１３の「ランプの通常点灯時の電力波形の一例」として示されるような場合、通常の点灯時の当該回路の電力波形は、上記定格容量以下が維持される。そのため、点灯中にリレー接点が開放しても、第１リレー１１１において上述した溶着等の不都合が生じる事態は想定されない。
【００９５】
また、同様の理由から、ランプバラストユニット１０１からランプ１０Ｂへの電力供給の開始と停止の間の状態の切換えは、第２リレー１１２が閉状態とされた状態で行なわれている。
【００９６】
また、図３を参照して説明したランプ切換処理では、ステップＳＡ１０でランプバラストユニット１０１からリレーユニット１１０への電力の供給を停止させてから一定時間経過後、または、ステップＳＡ５０において第２ランプ１０Ｂへの電力の供給を開始した時点から所定の時間経過後まで、切換前に使用されていたランプ（第１ランプ１０Ａ）の冷却、つまり、排気ファン１３１の駆動が実行されていた。このようなランプの冷却が確実に実行されるために、ランプ切換処理は、一度ランプ切換処理が開始された後、ステップＳＡ５０における排気ファン１３１の駆動が停止されるまでの期間、制御部１００が、新たなランプ切換処理を実行しないように構成されていることが好ましい。
【００９７】
つまり、本実施の形態であれば、光源として使用するランプを第１ランプ１０Ａから第２ランプ１０Ｂへと切換えるためのランプ切換処理が開始された後は、ステップＳＡ５０の処理が完了するまで、制御部１００は、たとえ入力部９０に新たなランプ切換処理（光源として使用するランプを第２ランプ１０Ｂから第１ランプ１０Ａへ切換えるための処理）の開始を指示する情報が入力された場合でも、当該新たな処理を開始せず、または、当該指示の入力を無効化することが好ましい。
【００９８】
なお、無効化しない場合には、ランプの冷却不足によってランプへの始動（電力の供給の開始）が失敗し、ランプが点灯しない事態が想定される。そのような事態発生の結果として最終的に必要とされる冷却時間も合わせると、上記制御順序に従った場合と比較して、再点灯までに余計に時間を要することとなる。
【００９９】
また、安全性などを考慮して、始動失敗をランプの異常として処理し、映像表示装置の制御動作を停止させてしまった場合であって、ユーザが装置の再起動のための操作を必要とされた場合、ユーザに対して余計な手間をかけることとなり、映像表示装置の利便性を大幅に低下させてしまう。
【０１００】
さらに、上記のような、ランプの冷却不足が発生した場合、ランプ自体の劣化の原因にもなり、ランプの損傷を引き起こす等、点灯後に通常の冷却期間冷却するようにして使用した場合よりも、ランプの寿命が低下する事態が想定される。このようなランプの損傷は、映像表示装置の利便性や経済性を著しく低下させてしまう。
【０１０１】
一方、本実施の形態では、上述の通り新たな処理の開始指示の入力を無効化することにより、映像表示装置の利便性を向上させている。また、当該入力の無効化により、ランプを十分に冷却するための冷却時間が確保されることとなり、映像表示装置の利便性や経済性の低下を回避している。
【０１０２】
このような、ランプ切換処理を開始してから、新たな処理の開始を待つ期間や新たな処理の開始指示を無効化する時間は、図１４に示されるように、「ランプ切換命令無効化制御期間」として、プロジェクタの仕様とすることができる。図１４において１〜５として示された期間は、図３のステップＳＡ１０〜ステップＳＡ５０の各過程において必要とされる時間に対応している。
【０１０３】
ただし、各過程の処理に要する時間の長さは、異なる。本実施の形態では、１，２，４の過程（ステップＳＡ１０，ステップＳＡ２０，ステップＳＡ４０）は、ほぼ同じ長さの時間で処理され、１〜５の過程（ステップＳＡ１０〜ステップＳＡ５０）の中で最も時間が短いものとなる。次に処理に要する時間が短いものは、３の過程（ステップＳＡ３０）となる。最も要する時間が長いのは、５の過程（ステップＳＡ５０）である。当該５の過程（ステップＳＡ５０）の処理に要する時間の長さを主に支配するのは、消灯した第１ランプ１０Ａの冷却に要する時間である。なお、図１４における、各過程についての、次に実行される過程との記載間隔は、実際の各過程の実行に要する時間の長さとは対応していない。
【０１０４】
電力を供給するランプを連続的に切換える場合、切換えに要する時間、つまり、上記したような指示の入力を無効化される時間が短いほど、結果としてユーザの指示に感度良く対応できることとなり、映像表示装置の利便性が高いと言える。逆に、当該時間が長くなるほど、ユーザを指示の入力の無効化が解除されるまで待たせることとなり、ユーザにとっては操作が煩雑となり、また、場合によってはユーザに無効化が解除されたことを確認させた上で指示の入力のための操作をすることを要求することとなる。よって、映像表示装置が利便性の欠けたものとなる。
【０１０５】
このような指示入力の無効化の時間の短縮化は、特に、映像表示装置（プロジェクタ）が、プレゼンテーションや展示に使用される際に効果を発揮する。つまり、プレゼンテーションや展示会の準備中あるいは直前などに、プロジェクタに搭載された複数のランプが点灯するか否かを確認するために、複数のランプそれぞれを、１つずつ切換ながら点灯させるような場合、上述のように無効化の時間が短縮化されることは、確認に要する時間の短縮化につながり、特に映像表示装置（プロジェクタ）の利便性を向上するといえる。
【０１０６】
なお、ステップＳＡ５０において排気ファン１３１を駆動させる時間や、上記のように新たなランプ切換処理の開始を待つ時間、指示の入力を無効化する時間の長さは、ランプ１０Ａの性能や、排気ファン１３１の冷却性能等を向上させれば、短縮化が可能である。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０８】
【図１】本発明の映像表示装置の一実施の形態であるプロジェクタの主要部の構成を模式的に示す図である。
【図２】図１のプロジェクタの制御ブロック構成を模式的に示す図である。
【図３】図２の制御部が実行するランプ切換処理のフローチャートである。
【図４】図１のプロジェクタ中の制御信号の流れの一例を模式的に示す図である。
【図５】図１のプロジェクタ中の制御信号の流れの一例を模式的に示す図である。
【図６】図１のプロジェクタ中の制御信号の流れの一例を模式的に示す図である。
【図７】図１のプロジェクタ中の制御信号の流れの一例を模式的に示す図である。
【図８】図１のプロジェクタ中の制御信号の流れの一例を模式的に示す図である。
【図９】図１のプロジェクタ中の制御信号の流れの一例を模式的に示す図である。
【図１０】図１のプロジェクタ中の制御信号の流れの一例を模式的に示す図である。
【図１１】図１のプロジェクタ中の制御信号の流れの一例を模式的に示す図である。
【図１２】図３のランプ切換処理の変形例のフローチャートである。
【図１３】図１のプロジェクタにおけるリレー接点の開閉についての定格容量を説明とランプへの電力供給開始時の電力波形との関係を説明するための図である。
【図１４】図１のプロジェクタにおける「ランプ切換命令無効化制御期間」を説明するための図である。
【符号の説明】
【０１０９】
２  光学エンジン、３  投射レンズ、３Ａ  シャッタ、１０  照明装置、１０Ａ  第１ランプ、１０Ｂ  第２ランプ、１０Ｄ，１５，２８，３０  ミラー、１１  フライアイインテグレータ、１２  ＰＢＳアレイ、１３，１６，２２，３１  コンデンサレンズ、１４  ダイクロイックミラー、１７，２３，３２  入射側偏光板、１８，２４，３３  液晶パネル、１９，２５，３４  出射側偏光板、２０  プリズム、２１  ダイクロイックミラー、９０  入力部、１００  制御部、１０１  ランプバラストユニット，１０１Ａ  検出部、１１０  リレーユニット、１１１  第１リレー、１１２  第２リレー、１２０  ミラーユニット、１２１  第１検出スイッチ、１２２  第２検出スイッチ，１３１，１３２  排気ファン。
【図１】
2010134250.tif 000003
【図２】
2010134250.tif 000004
【図３】
2010134250.tif 000005
【図４】
2010134250.tif 000006
【図５】
2010134250.tif 000007
【図６】
2010134250.tif 000008
【図７】
2010134250.tif 000009
【図８】
2010134250.tif 000010
【図９】
2010134250.tif 000011
【図１０】
2010134250.tif 000012
【図１１】
2010134250.tif 000013
【図１２】
2010134250.tif 000014
【図１３】
2010134250.tif 000015
【図１４】
2010134250.tif 000016